【手続補正書】
【提出日】平成21年4月20日(2009.4.20)
【手続補正１】
【補正対象書類名】特許請求の範囲
【補正対象項目名】全文
【補正方法】変更
【補正の内容】
【特許請求の範囲】
【請求項１】
第一の熱源と、
温度調整される部材を加熱する第二の熱源と、
前記第一の熱源あるいはその周辺部の温度を検出するための第一の温度検出手段と、
前記温度調整される部材の温度を検出するための第二の温度検出手段と、
前記第一の熱源から発生する熱を前記温度調整される部材に伝達するヒートパイプと、
前記ヒートパイプにより前記温度調整される部材に伝達される熱量を可変とする伝熱量可変手段と、
前記第一の温度検出手段と前記第二の温度検出手段との出力に基づいて前記伝熱量可変手段を制御する制御手段と、
を有し、
前記制御手段は、前記第一の温度検出手段により検出された温度が前記第二の温度検出手段により検出された温度よりも高い場合、前記第一の熱源から発生する熱を前記温度調整される部材に伝達するように前記伝熱量可変手段を制御し、前記第一の温度検出手段により検出された温度が前記第二の温度検出手段により検出された温度よりも低い場合、前記第二の熱源から発生する熱が前記第一の熱源あるいはその周辺部に伝達しないように前記伝熱量可変手段を制御することを特徴とする温度制御装置。
【請求項２】
請求項１に記載の温度制御装置において、
前記伝熱量可変手段は、前記ヒートパイプにより伝達される熱を放熱する放熱部材と、前記放熱部材から放熱される熱を受熱する受熱部材とを有することを特徴とする温度制御装置。
【請求項３】
請求項２に記載の温度制御装置において、
前記制御手段は、前記放熱部材と前記受熱部材との重なる部分の面積を変更するよう前記伝熱量可変手段を制御することを特徴とする温度制御装置。
【請求項４】
請求項３に記載の温度制御装置において、
前記放熱部材と前記受熱部材は、それぞれくし歯状端部を有し、それぞれの前記くし歯状端部が互いに非接触で移動可能に遊嵌するものであり、
前記制御手段は、前記放熱部材と前記受熱部材のそれぞれのくし歯状端部の噛合う面積を変更するよう制御することを特徴とする温度制御装置。
【請求項５】
請求項３に記載の温度制御装置において、
前記第二の温度検出手段により検出される温度が前記温度調整される部材の目標温度よりも低い場合、前記制御手段は、前記第一の熱源から前記温度調整される部材へ伝達される熱量が増加するように前記放熱部材と前記受熱部材との重なる部分の面積を増加させることを特徴とする温度制御装置。
【請求項６】
請求項１に記載の温度制御装置において、
前記伝熱量可変手段は、前記温度調整される部材の近傍に配置されることを特徴とする温度制御装置。
【請求項７】
請求項１乃至請求項６のいずれかに記載の温度制御装置を備える画像形成装置であって、
前記第一の熱源は、シートに転写されたトナー画像を定着する定着手段であることを特徴とする画像形成装置。
【請求項８】
請求項７に記載の画像形成装置において、
前記温度調整される部材は、トナー画像が形成される感光体であり、前記第二の熱源は、前記感光体を温めるヒータであることを特徴とする画像形成装置。
【手続補正２】
【補正対象書類名】明細書
【補正対象項目名】０００７
【補正方法】変更
【補正の内容】
【０００７】
（１）第一の熱源と、温度調整される部材を加熱する第二の熱源と、前記第一の熱源あるいはその周辺部の温度を検出するための第一の温度検出手段と、前記温度調整される部材の温度を検出するための第二の温度検出手段と、前記第一の熱源から発生する熱を前記温度調整される部材に伝達するヒートパイプと、前記ヒートパイプにより前記温度調整される部材に伝達される熱量を可変とする伝熱量可変手段と、前記第一の温度検出手段と前記第二の温度検出手段との出力に基づいて前記伝熱量可変手段を制御する制御手段と、を有し、前記制御手段は、前記第一の温度検出手段により検出された温度が前記第二の温度検出手段により検出された温度よりも高い場合、前記第一の熱源から発生する熱を前記温度調整される部材に伝達するように前記伝熱量可変手段を制御し、前記第一の温度検出手段により検出された温度が前記第二の温度検出手段により検出された温度よりも低い場合、前記第二の熱源から発生する熱が前記第一の熱源あるいはその周辺部に伝達しないように前記伝熱量可変手段を制御することを特徴とする温度制御装置。
（２）前記（１）に記載の温度制御装置において、前記伝熱量可変手段は、前記ヒートパイプにより伝達される熱を放熱する放熱部材と、前記放熱部材から放熱される熱を受熱する受熱部材とを有することを特徴とする温度制御装置。
（３）前記（２）に記載の温度制御装置において、前記制御手段は、前記放熱部材と前記受熱部材との重なる部分の面積を変更するよう前記伝熱量可変手段を制御することを特徴とする温度制御装置。
（４）前記（３）に記載の温度制御装置において、前記放熱部材と前記受熱部材は、それぞれくし歯状端部を有し、それぞれの前記くし歯状端部が互いに非接触で移動可能に遊嵌するものであり、前記制御手段は、前記放熱部材と前記受熱部材のそれぞれのくし歯状端部の噛合う面積を変更するよう制御することを特徴とする温度制御装置。
（５）前記（３）に記載の温度制御装置において、前記第二の温度検出手段により検出される温度が前記温度調整される部材の目標温度よりも低い場合、前記制御手段は、前記第一の熱源から前記温度調整される部材へ伝達される熱量が増加するように前記放熱部材と前記受熱部材との重なる部分の面積を増加させることを特徴とする温度制御装置。
（６）前記（１）に記載の温度制御装置において、前記伝熱量可変手段は、前記温度調整される部材の近傍に配置されることを特徴とする温度制御装置。
（７）前記（１）乃至前記（６）のいずれかに記載の温度制御装置を備える画像形成装置であって、前記第一の熱源は、シートに転写されたトナー画像を定着する定着手段であることを特徴とする画像形成装置。
（８）前記（７）に記載の画像形成装置において、前記温度調整される部材は、トナー画像が形成される感光体であり、前記第二の熱源は、前記感光体を温めるヒータであることを特徴とする画像形成装置。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００３０
【補正方法】変更
【補正の内容】
【００３０】
図３に、感光体１の温度を検出し、ヒートパイプ３０５を駆動するモータを制御する制御系のブロック図を示す。制御基板４０１には画像形成装置の駆動部を制御するＣＰＵ４０２が搭載されている。廃熱ダクト３０３の中の温度を検出する温度センサ３１０と感光体１の温度を検出する温度センサ３１１はＣＰＵ４０２のアナログ／デジタル変換（Ａ／Ｄ）入力端子に接続されている。温度センサ３１１の出力を温度に換算して、ＣＰＵ４０２は予め決められた目標温度になるようにヒータ３０９の通電を制御するようにヒータドライバ４０４を制御する。温度センサ３１０の出力を温度に換算して、その温度と感光体１の温度調整の目標値に応じて、ヒートパイプ３０５を駆動するモータ４０５を駆動するドライバ４０３に指令を与える。
【手続補正９】
【補正対象書類名】明細書
【補正対象項目名】００４０
【補正方法】変更
【補正の内容】
【００４０】
１              感光体（温度調整される部材に相当）
５              定着装置（第一の熱源に相当）
３０１、３０２  定着ローラ
３０３          廃熱ダクト（その周辺部に相当）
３０４          ファン
３０５、３０７  ヒートパイプ
３０６          放熱部材（伝熱量可変手段に相当）
３０８          受熱部材（伝熱量可変手段に相当）
３０９          ヒータ（第二の熱源に相当）
３１０          温度センサ（第一の温度検出手段に相当）
３１１          温度センサ（第二の温度検出手段に相当）
４０１          制御基板
４０２          ＣＰＵ
４０３          ドライバ
４０４          ヒータドライバ
４０５          モータ